(57)【要約】      （修正有）【課題】９０度に曲がる紙製ストローを提供する。【解決手段】９０度に曲がる紙製ストローは紙帯を螺旋状に積層して複合して成形した後、両端を切断することから成り、ストローの一端に８〜１２個の蛇腹１１が均一に付けられ、前記紙帯が第１紙層と第２紙層と第３紙層とを複合してから成り、ストローの使用過程中にも軟化されることないよう保証し、また一定間隔を有する複数の蛇腹の設置により、ストローを９０度まで曲がらせ、かつストローの折曲部の内径も明らかに減少することなく、使用後自然分解でき、白色汚染も生じないため、環境の負荷も小さく、市販されているプラスチック製ストローに代替できる。【選択図】図１
2020081830.tif 000002
【特許請求の範囲】
【請求項１】
９０度に曲がる紙製ストローであって、紙帯を螺旋状に積層して複合して成形した後、両端を切断することから成り、ストローの一端に８〜１２個の蛇腹（１１）が均一に付けられ、前記紙帯が第１紙層（１２）と第２紙層（１３）と第３紙層（１４）とを複合してから成ることを特徴とする、９０度に曲がる紙製ストロー。
【請求項２】
前記紙帯の幅は、１．３〜１．５ＣＭであることを特徴とする、請求項１に記載の９０度に曲がる紙製ストロー。
【請求項３】
前記ストローの断面は、円形であり、前記第３紙層（１４）が前記第２紙層（１３）の外側に位置し、前記第２紙層（１３）が前記第１紙層（１２）の外側に位置し、前記第１紙層（１２）のグラム重が１２０ｇ／m2、前記第２紙層（１３）のグラム重が１２０ｇ／m2、前記第３紙層（１４）のグラム重が６０ｇ／m2であることを特徴とする、請求項１に記載の９０度に曲がる紙製ストロー。
【請求項４】
前記第３紙層（１４）の外側に色彩及び図案を印刷していることを特徴とする、請求項３に記載の９０度に曲がる紙製ストロー。
【請求項５】
前記蛇腹（１１）は、ストローの端部まで２．０〜２．２ＣＭ距離のある箇所からストローの中央部に向けて設けられることを特徴とする、請求項１に記載の９０度に曲がる紙製ストロー。
【請求項６】
前記蛇腹（１１）の間隔は、０．６〜０．７ＣＭであることを特徴とする、請求項１に記載の９０度に曲がる紙製ストロー。
【発明の詳細な説明】
【技術分野】
【０００１】
本発明は、ストローの技術分野に属し、特に、９０度に曲がる紙製ストローに関する。
【背景技術】
【０００２】
ストローは、ストレートタイプと曲がるタイプに分かれ、ストレートタイプストローもまた単管構造と伸縮管構造に分けることができ、曲がるタイプストローで飲用する方が便利で、非常に大きなマーケットシェアを占めている。現在市販されている食品グレードの飲料用ストローは、殆どがプラスチック製であり、使用に便利であるが、使用後に捨てられたストローの体積が小さく、回収も難しく、かつ大部分が自然分解できないため、環境に大きな負荷を与えてきた。プラスチック製ストローに比べると、紙製ストローはリサイクされ白色汚染も減らす以外に、現代の技術で改良した後、外観のグレード感をより高く、祝会やパーティー等に非常に適している。ただし紙製ストローを９０度に曲げるのが難しく、消費者に不便をもたらしていた。
【発明の概要】
【発明が解決しようとする課題】
【０００３】
本発明は、従来技術の問題点を解決するため、グラム重の異なる３層の紙層を複合してからなる紙帯を螺旋状に積層することにより製造され、ストローの使用過程中にも軟化されることないよう保証し、また一定間隔を有する複数の蛇腹の設置により、ストローを９０度まで曲がらせ、かつストローの折曲部の内径も明らかに減少することなく、使用後自然分解でき、白色汚染も生じないため、環境の負荷も小さく、市販されているプラスチック製ストローに代替できる９０度に曲がる紙製ストローを提供することを目的とする。
【課題を解決するための手段】
【０００４】
上記目的を達成するため、本発明に係る９０度に曲がる紙製ストローは、紙帯を螺旋状に積層して複合して成形した後、両端を切断することから成り、ストローの一端に８〜１２個の蛇腹が均一に付けられ、前記紙帯が第１紙層と第２紙層と第３紙層とを複合してから成る。
【０００５】
好ましくは、前記紙帯の幅は、１．３〜１．５ＣＭである。
【０００６】
好ましくは、前記ストローの断面は、円形であり、前記第３紙層が第２紙層の外側に位置し、前記第２紙層が第１紙層の外側に位置し、前記第１紙層のグラム重が１２０ｇ／m2、前記第２紙層のグラム重が１２０ｇ／m2、前記第３紙層のグラム重が６０ｇ／m2である。
【０００７】
好ましくは、前記第３紙層の外側に色彩及び図案を印刷している。
【０００８】
好ましくは、前記蛇腹は、ストローの端部まで２．０〜２．２ＣＭ距離のある箇所からストローの中央部に向けて設けられる。
【０００９】
好ましくは、前記蛇腹の間隔は、０．６〜０．７ＣＭである。
【発明の効果】
【００１０】
本発明は、グラム重の異なる３層の紙層を複合してからなる紙帯を螺旋状に積層することにより製造され、ストローの使用過程中にも軟化されることないよう保証し、また一定間隔を有する複数の蛇腹の設置により、ストローを９０度まで曲がらせ、かつストローの折曲部の内径も明らかに減少することなく、使用後自然分解でき、白色汚染も生じないため、環境の負荷も小さく、市販されているプラスチック製ストローに代替できる。
【００１１】
本発明の特徴及び利点は、実施例に添付図面を組み合わせて詳細に説明する。
【図面の簡単な説明】
【００１２】
【図１】本発明に係る９０度に曲がる紙製ストローの正面図である。
【図２】本発明に係る９０度に曲がる紙製ストローの上面図である。
【発明を実施するための形態】
【００１３】
図１及び図２を参照すると、本発明に係る９０度に曲がる紙製ストローは、紙帯を螺旋状に積層して複合して成形した後、両端を切断することから成り、ストローの一端に８〜１２個の蛇腹１１が均一に付けられ、前記紙帯が第１紙層１２と第２紙層１３と第３紙層１４とを複合してから成り；前記紙帯の幅は１．３〜１．５ＣＭであり；前記ストローの断面は、円形であり、前記第３紙層１４が第２紙層１３の外側に位置し、前記第２紙層１３が第１紙層１２の外側に位置し、前記第１紙層１２のグラム重が１２０ｇ／m2、前記第２紙層１３のグラム重が１２０ｇ／m2、前記第３紙層１４のグラム重が６０ｇ／m2であり；前記第３紙層１４の外側に色彩及び図案を印刷し、前記蛇腹１１は、ストローの端部まで２．０〜２．２ＣＭ距離のある箇所からストローの中央部に向けて設けられ、前記蛇腹１１の間隔が０．６〜０．７ＣＭである。
【００１４】
本発明の動作原理
本発明に係る９０度に曲がる紙製ストローの動作原理は、ストローの蛇腹１１から離れた端が飲料容器に差し込む端であり、ストローの蛇腹１１に近い端が吸い端であり、吸い端に近いと共に複数の蛇腹１１に沿ってストローを折り曲げると、ストローを徐々に曲がらせることができる。蛇腹１１の数は、９個であることが好ましく、ストローを９０度までに曲がらせる状態において、折損又は圧潰されないことで、ストロー折曲部の内径変化を減少できる。
【産業上の利用可能性】
【００１５】
本発明は、グラム重の異なる３層の紙層を複合してからなる紙帯を螺旋状に積層することにより製造され、ストローの使用過程中にも軟化されることないよう保証し、また一定間隔を有する複数の蛇腹の設置により、ストローを９０度まで曲がらせ、かつストローの折曲部の内径も明らかに減少することなく、使用後自然分解でき、白色汚染も生じないため、環境の負荷も小さく、市販されているプラスチック製ストローに代替できる。
【００１６】
上記実施例は、あくまでも本発明の技術内容を明らかにするものであって、本発明を限定して解釈するためのものではなく、本発明を簡単に変更した後の解決策が均しく本発明の保護範囲に属する。
【符号の説明】
【００１７】
１１  蛇腹
１２  第１紙層
１３  第２紙層
１４  第３紙層
【図１】
2020081830.tif 000003
【図２】
2020081830.tif 000004